(57)【要約】【課題】管理ストレージとパブリックネットワークを介して接続された接続ストレージに格納されたコンテンツを、管理ストレージとローカルネットワークを介して接続されたローカル装置において利用することができるコンテンツ管理方法等を提供する。【解決手段】コンテンツ管理方法は、管理ストレージが、接続ストレージに格納された接続コンテンツリストを接続ストレージから取得するステップと、管理ストレージが、管理ストレージを示すディレクトリの下位層に配置された接続ストレージを示すサブディレクトリの下位層に接続コンテンツリストを配置するステップと、接続ストレージに対応するプロトコルを管理ストレージとローカルネットワークを介して接続されるローカル装置に対応するプロトコルに変換して、接続コンテンツリストをローカル装置に対して送信するステップ、を備える。【選択図】図８
2012160017.tif 000002
【特許請求の範囲】
【請求項１】
管理ストレージが、パブリックネットワークを介して接続された接続ストレージに格納されたコンテンツのリストである接続コンテンツリストを要求するリスト要求を、該接続ストレージに対して送信するステップと、
前記接続ストレージが、前記リスト要求に応じて、該接続コンテンツリストを送信するステップと、
前記管理ストレージが、該管理ストレージを示すディレクトリの下位層に配置された該接続ストレージを示すディレクトリの下位層に、前記接続コンテンツリストを配置するステップと、
前記管理ストレージが、前記接続ストレージに対応するプロトコルを、該管理ストレージとローカルネットワークを介して接続されるローカル装置に対応するプロトコルに変換して、前記接続コンテンツリストを含む管理コンテンツリストを該ローカル装置に対して送信するステップと、を備える、コンテンツ管理方法。
【請求項２】
管理ストレージが、パブリックネットワークを介して接続された接続ストレージに格納されたコンテンツのリストである接続コンテンツリストを要求するリスト要求を、該接続ストレージに対して送信するステップと、
前記接続ストレージが、前記リスト要求に応じて、該接続コンテンツリストを送信するステップと、
前記管理ストレージが、該管理ストレージを示すディレクトリの下位層に配置された該接続ストレージを示すディレクトリの下位層に、前記接続コンテンツリストを配置するステップと、
前記管理ストレージが、前記管理ストレージの所定の記憶領域に配置された前記接続コンテンツリストと前記管理ストレージが保持するコンテンツのリストとを集約した管理コンテンツリストを、前記管理ストレージとローカルネットワークを介して接続されるローカル装置に対応するプロトコルに変換して、該ローカル装置に対して送信するステップと、を備える、コンテンツ管理方法。
【請求項３】
前記管理ストレージが、前記管理ストレージの所定の記憶領域に配置された前記接続コンテンツリストと前記管理ストレージが保持するコンテンツのリストとを集約した管理コンテンツリストを前記ローカル装置に対して送信するステップと、
前記ローカル装置が、前記管理コンテンツリストに含まれるコンテンツのデータを要求するコンテンツ要求を前記管理ストレージに対して送信するステップと、
前記管理ストレージが、前記コンテンツ要求に前記接続ストレージのコンテンツが含まれる場合に、該当するコンテンツの要求を、該接続ストレージに対して送信するステップと、
前記管理ストレージが、前記コンテンツ要求に該管理ストレージのコンテンツが含まれる場合に、該当するコンテンツのデータを、該ローカル装置に対して送信するステップと、
前記接続ストレージが、前記管理ストレージからのコンテンツ要求の受信に応じて、該当するコンテンツのデータを前記管理ストレージに対して送信するステップと、
前記管理ストレージが、前記接続ストレージからのコンテンツの受信に応じて、該コンテンツを前記ローカル装置に対して送信するステップと、を更に備える、請求項１又は請求項２に記載のコンテンツ管理方法。
【請求項４】
前記管理ストレージが、前記リスト要求に応じて、前記接続ストレージとの名前解決を実行する名前解決サーバに対して該接続ストレージのアドレスを取得するための名前解決要求を送信するステップと、
前記名前解決サーバが、前記名前解決要求に応じて、前記管理ストレージに対して名前解決結果としての前記接続ストレージのアドレスを送信するステップと、を更に備える請求項１から請求項３のいずれかに記載のコンテンツ管理方法。
【請求項５】
パブリックネットワークを介して接続ストレージと通信可能に接続され、かつローカルネットワークを介してローカル装置と通信可能に接続される管理ストレージであって、
前記接続ストレージに格納されたコンテンツのリストである接続コンテンツストを要求するリスト要求を、前記ローカル装置から受信するリスト要求受信部と、
前記リスト要求に応じて、前記接続コンテンツリストを該接続ストレージから取得する接続コンテンツリスト取得部と、
前記管理ストレージを示すディレクトリの下位層に配置された該接続ストレージを示すディレクトリの下位層に前記接続コンテンツリストを配置するディレクトリ編成部と、
前記接続ストレージに対応するプロトコルを前記ローカル装置に対応するプロトコルに変換して、前記接続コンテンツリストを該ローカル装置に対して送信するコンテンツリスト送信部と、を備える、管理ストレージ。
【請求項６】
前記接続ストレージのコンテンツリストである前記接続コンテンツリストを一時的に記録する記録保持部を更に備える、請求項５に記載の管理ストレージ。
【請求項７】
パブリックネットワークを介して接続ストレージと通信可能であって、ローカルネットワークを介してローカル装置と通信可能なコンピュータを、
前記接続ストレージに格納されたコンテンツのリストである接続コンテンツリストを要求するリスト要求を、前記ローカル装置から受信するリスト要求受信手段と、
前記リスト要求に応じて、前記接続コンテンツリストを該接続ストレージから取得する接続コンテンツリスト取得手段と、
前記管理ストレージを示すディレクトリの下位層に配置された該接続ストレージを示すディレクトリの下位層に前記接続コンテンツリストを配置するディレクトリ編成手段と、
前記接続ストレージに対応するプロトコルを前記ローカル装置に対応するプロトコルに変換して、前記接続コンテンツリストを該ローカル装置に対して送信するコンテンツリスト送信手段と、して機能させる、コンテンツ管理プログラム。
【発明の詳細な説明】
【技術分野】
【０００１】
本発明は、管理ストレージにおいて、この管理ストレージとパブリックネットワークを介して接続された接続ストレージに格納されたコンテンツを管理するコンテンツ管理方法、管理ストレージ及びコンテンツ管理方法に関する。
【背景技術】
【０００２】
映像や音声等のデジタルコンテンツの利用が促進されており、コンテンツを自身のストレージに格納して利用するだけでなく、複数のストレージにおいてコンテンツを共有することが望まれている。近年、ＤＬＮＡ機器等を用いて、ローカルネットワーク内においてコンテンツを利用する技術が普及している。例えば、ＤＭＳ（Ｄｅｇｉｔａｌ  Ｍｅｄｉａ  Ｓｅｒｖｅｒ）に格納されたコンテンツを、ＤＭＰ（Ｄｉｇｉｔａｌ  Ｍｅｄｉａ  Ｐｌａｙｅｒ）において再生することが行われている（例えば、特許文献１参照）。
【０００３】
また、特許文献２には、ローカルネットワークを介して接続されたＰＣとサーバとを備え、サーバに格納されたコンテンツをＰＣにおいて利用する会議支援システムが記載されている。具体的には、会議室内のＰＣからサーバに対して、会議に対応するプロジェクトに関連するコンテンツを要求するコンテンツ要求を送信する。サーバは、コンテンツを格納するファイルスペースを会議室毎に有しており、コンテンツ要求に応じて、コンテンツ要求の発信元となるＰＣに対応する会議室のファイルスペースに、要求のあったプロジェクトのコンテンツを格納する。
【先行技術文献】
【特許文献】
【０００４】
【特許文献１】特開２００８−４１１２０号公報
【特許文献２】特開２００６−１２０８５号公報
【発明の概要】
【発明が解決しようとする課題】
【０００５】
しかし、コンテンツは、ローカルネットワークを介して接続されたストレージのみならず、パブリックネットワークを介して接続されたストレージにも格納されており、パブリックネットワークを介してコンテンツを取得したいというユーザのニーズがある。
【０００６】
パブリックネットワークでは、例えば、ＨＴＭＬ、ＸＭＬ、ＪＳＯＮといった言語でコンテンツを含む情報が記述されている。一方、ＤＭＰ等のローカル装置は、これらの言語で記述された情報を表示する機能を有していないことが想定される。このような場合には、ローカル装置は、パブリックネットワークに接続されたコンテンツを利用することができない。
【０００７】
本発明は、上記の事情に鑑みて為されたもので、パブリックネットワークを介して管理ストレージと接続された接続ストレージに格納されたコンテンツを、管理ストレージ及びこの管理ストレージとローカルネットワークを介して接続されたローカル装置において利用することができるコンテンツ管理方法、管理ストレージ及びコンテンツ管理プログラムを提供することを例示的課題とする。
【課題を解決するための手段】
【０００８】
上記の課題を解決するために、本発明の例示的側面としてのコンテンツ管理方法は、管理ストレージが、パブリックネットワークを介して接続された接続ストレージに格納されたコンテンツのリストである接続コンテンツリストを要求するリスト要求を、接続ストレージに対して送信するステップと、接続ストレージが、リスト要求に応じて、接続コンテンツリストを送信するステップと、管理ストレージが、管理ストレージを示すディレクトリの下位層に配置された接続ストレージを示すディレクトリの下位層に、接続コンテンツリストを配置するステップと、接続ストレージに対応するプロトコルを管理ストレージとローカルネットワークを介して接続されるローカル装置に対応するプロトコルに変換して、接続コンテンツリストを含む管理コンテンツリストをローカル装置に対して送信するステップと、を備える。
【０００９】
このコンテンツ管理方法によれば、管理ストレージが、接続ストレージに格納されたコンテンツのリストである接続コンテンツリストを取得し、この接続コンテンツリストを含む管理コンテンツリストをローカル装置に対応するプロトコルによってローカル装置に対して送信する。したがって、管理ストレージとローカルネットワークを介して接続されたローカル装置において、接続コンテンツリストをローカル装置において利用することができる。なお、管理コンテンツリストは、接続ストレージから取得した接続コンテンツリストのみによって構成されていてもよいし、自機に格納されたコンテンツのリストと接続コンテンツリストとを含んで構成されていてもよい。
【００１０】
このプロトコル変換は、例えば、接続ストレージから取得した接続コンテンツリストを、接続ストレージに対応する通信プロトコル又は言語フォーマットからローカル装置に対応する通信プロトコル又は言語フォーマットに変換するものである。例えば、ローカル装置が、ＤＬＮＡ機器である場合においては、管理ストレージが、ＨＴＴＰとＤＬＮＡ機器対応のプロトコルとを変換することにより、ローカル装置においても、接続ストレージ内のコンテンツを利用することが可能となる。
【００１１】
また、このコンテンツ管理方法によれば、コンテンツ等を自機に格納するための所定の記憶領域を備えない管理ストレージにおいて、ネットワークを介して接続された接続ストレージのコンテンツを、管理ストレージ内に格納されたコンテンツとして操作することができる。管理ストレージは、接続ストレージのコンテンツを自機に格納されているコンテンツであるように利用することができる。このような所定の記憶領域を備えない管理ストレージは、接続ストレージとローカル装置との間でコンテンツを中継する機能を発揮する。
【００１２】
なお、コンテンツとは、デジタルデータ化された画像、音声のみならず、テキストファイル、Ｗｏｒｄ、Ｅｘｃｅｌ等のデータファイルも含む概念である。コンテンツのリストは、複数の項目が階層化されたツリー構造を有していてもよい。例えば、リストは、コンテンツ名の一覧を示すリストであってもよいし、コンテンツを格納するフォルダ名の一覧を示すリストであってもよい。
【００１３】
また、接続ストレージを示すディレクトリは、管理ストレージが接続ストレージと接続されたタイミング等所定のタイミングにおいて、予めサブディレクトリを作成するように構成してもよいし、接続ストレージから接続コンテンツリストを取得した際に作成するように構成してもよい。
【００１４】
なお、管理ストレージと接続ストレージは、互いに同一セグメント内に配置されていても良いし、それぞれ異なるセグメントに配置されていてそれぞれのセグメントを中継サーバ等を介して接続されるように構成されていても良い。なお、管理ストレージは、階層構造のディレクトリを管理するシステムである。
【００１５】
また、接続ストレージを示す接続ディレクトリは、管理ストレージの所定の記憶領域に配置されていてもよい。このような構成によれば、管理ストレージにおいて、自機に格納されているコンテンツのリストと、接続コンテンツリストと、を同じように操作することができる。
【００１６】
具体的には、例えば、一般的なＰＣにおいてコンテンツの移動や閲覧を実行するファイルソフト（ｅｘｐｌｏｒｅｒ等）は、コンテンツの移動等をドラック＆ドロップやコピー＆ペースト等、ユーザが直感的に操作できるように構築されている。しかし、このような直感的な操作は、管理ストレージの所定の記憶領域に格納されたコンテンツのみであり、例えばＷｅｂブラウザを用いた閲覧等、他のストレージに格納されたコンテンツの閲覧等において直感的な操作を行うことは難しかった。しかし、接続コンテンツリストを、管理ストレージの所定の記憶領域のディレクトリ内に配置することにより、接続ストレージに格納されたコンテンツの直感的な操作を実現でき、操作性を向上させることができる。
【００１７】
なお、サブディレクトリは、管理ストレージの所定の記憶領域のルートディレクトリの下位層に配置されてもよいし、ルートディレクトリ（例えば、Ｄドライブ）であってもよく、接続ストレージを示すサブディレクトリとしてルートディレクトリに割り当ててもよい。
【００１８】
本発明に係るコンテンツ管理方法は、管理ストレージが、パブリックネットワークを介して接続された接続ストレージに格納されたコンテンツのリストである接続コンテンツリストを要求するリスト要求を、該接続ストレージに対して送信するステップと、前記接続ストレージが、前記リスト要求に応じて、該接続コンテンツリストを送信するステップと、前記管理ストレージが、該管理ストレージを示すディレクトリの下位層に配置された該接続ストレージを示すディレクトリの下位層に、前記接続コンテンツリストを配置するステップと、前記管理ストレージが、前記管理ストレージの所定の記憶領域に配置された前記接続コンテンツリストと前記管理ストレージが保持するコンテンツのリストとを集約した管理コンテンツリストを、前記管理ストレージとローカルネットワークを介して接続されるローカル装置に対応するプロトコルに変換して、該ローカル装置に対して送信するステップと、を備える。
【００１９】
このようなコンテンツ管理方法によれば、ローカル装置は、接続ストレージに格納された接続コンテンツリストと、管理ストレージが保持するコンテンツのリストと、を集約した管理コンテンツリストを取得することができる。
【００２０】
本発明に係るコンテンツ管理方法は、前記管理ストレージが、前記管理ストレージの所定の記憶領域に配置された前記接続コンテンツリストと前記管理ストレージが保持するコンテンツのリストとを集約した管理コンテンツリストを前記ローカル装置に対して送信するステップと、前記ローカル装置が、前記接続コンテンツリスト及び前記管理コンテンツリストに含まれるコンテンツのデータを要求するコンテンツ要求を前記管理ストレージに対して送信するステップと、前記管理ストレージが、前記コンテンツ要求に前記接続ストレージのコンテンツが含まれる場合に、該当するコンテンツの要求を、該接続ストレージに対して送信するステップと、前記管理ストレージが、前記コンテンツ要求に該管理ストレージのコンテンツが含まれる場合に、該当するコンテンツのデータを、該ローカル装置に対して送信するステップと、前記接続ストレージが、前記管理ストレージからのコンテンツ要求の受信に応じて、該当するコンテンツのデータを前記管理ストレージに対して送信するステップと、前記管理ストレージが、前記接続ストレージからのコンテンツの受信に応じて、該コンテンツを前記ローカル装置に対して送信するステップと、を更に備えていてもよい。
【００２１】
このようなコンテンツ管理方法によれば、ローカル装置は、接続ストレージに格納された接続コンテンツリストと、管理ストレージが保持するコンテンツのリストと、を集約した管理コンテンツリストを取得し、これらのコンテンツのリストから選択したコンテンツを取得することができる。ローカル装置は、管理ストレージに格納されたコンテンツであっても、接続ストレージに格納されたコンテンツであっても、区別することなく同様の操作によって取得することが可能となる。
【００２２】
また、本発明に係るコンテンツ管理方法は、管理ストレージが、前記リスト要求に応じて、前記接続ストレージとの名前解決を実行する名前解決サーバに対して該接続ストレージのアドレスを取得するための名前解決要求を送信するステップと、前記名前解決サーバが、前記名前解決要求に応じて、前記管理ストレージに対して名前解決結果としての前記接続ストレージのアドレスを送信するステップと、を更に備えていてもよい。
【００２３】
また、本発明の他の例示的側面としての管理ストレージは、パブリックネットワークを介して接続ストレージと通信可能に接続され、かつローカルネットワークを介してローカル装置と通信可能に接続される管理ストレージであって、前記接続ストレージに格納されたコンテンツのリストである接続コンテンツリストを要求するリスト要求を、前記ローカル装置から受信するリスト要求受信部と、前記リスト要求に応じて、前記接続コンテンツリストを該接続ストレージから取得する接続コンテンツリスト取得部と、管理ストレージを示すディレクトリの下位層に配置された接続ストレージを示すディレクトリの下位層に接続コンテンツリストを配置するディレクトリ編成部と、前記接続ストレージに対応するプロトコルをローカル装置に対応するプロトコルに変換して、前記接続コンテンツリストを含む管理コンテンツリストを該ローカル装置に対して送信するコンテンツリスト送信部と、を備える。
【００２４】
また、管理ストレージから接続ストレージに対するリスト要求は、ローカル装置からのリスト要求に応じて送信するように構成してもよいし、管理ストレージと接続ストレージとが接続されたことを契機として送信するように構成してもよい。
【００２５】
更に、本発明に係る管理ストレージは、接続ストレージのコンテンツのリストである前記接続コンテンツリストを一時的に記録する記録保持部を更に備えていてもよい。この構成によれば、管理ストレージは、リスト要求を受信する毎に接続ストレージから接続コンテンツリストを取得せずに、記録保持部に記録された接続コンテンツリストをローカル装置に対して送信することができ、処理時間を短縮することが可能となる。例えば、管理ストレージと接続ストレージとを接続するネットワークが比較的低速な場合においては、ネットワークを介して接続コンテンツリストを取得する構成と比較して、処理時間を短縮することが可能となる。
【００２６】
また、本発明の他の例示的側面としてのコンテンツ管理プログラムは、パブリックネットワークを介して接続ストレージと通信可能であって、ローカルネットワークを介してローカル装置と通信可能なコンピュータを、前記接続ストレージに格納されたコンテンツのリストである接続コンテンツリストを要求するリスト要求を、前記ローカル装置から受信するリスト要求受信手段と、前記リスト要求に応じて、前記接続コンテンツリストを該接続ストレージから取得する接続コンテンツリスト取得手段と、管理ストレージを示すディレクトリの下位層に配置された接続ストレージを示すディレクトリの下位層に接続コンテンツリストを配置するディレクトリ編成手段と、前記接続ストレージに対応するプロトコルをローカル装置に対応するプロトコルに変換して、前記接続コンテンツリストを含む管理コンテンツリストを該ローカル装置に対して送信するコンテンツリスト送信手段と、して機能させる。
【発明の効果】
【００２７】
本発明によれば、パブリックネットワークを介して管理ストレージと接続された接続ストレージに格納されたコンテンツを、管理ストレージ及びこの管理ストレージとローカルネットワークを介して接続されたローカル装置において利用することができる。
【図面の簡単な説明】
【００２８】
【図１】実施の形態１に係るコンテンツ管理システムの構成を示す図である。
【図２】図１に示す管理ストレージの構成図である。
【図３】図１に示す接続ストレージの構成図である。
【図４】図１に示すローカル再生装置の構成図である。
【図５】管理ストレージのローカルディレクトリの編成過程を示す図である。
【図６】ローカルディレクトリの編成過程を示す図である。
【図７】ローカルディレクトリの編成過程を示す図である。
【図８】コンテンツ管理システムの動作を示すシーケンス図である。
【図９】名前解決サーバの構成図である。
【図１０】実施の形態２に係るコンテンツ管理システムの構成を示す図である。
【図１１】図１０に示す管理ストレージのローカルディレクトリを示す図である。
【図１２】実施の形態２に係るコンテンツ管理システムの動作を示すシーケンス図である。
【図１３】実施の形態３に係るコンテンツ管理システムの構成を示す図である。
【図１４】管理ストレージのディレクトリの構成を示す図である。
【発明を実施するための形態】
【００２９】
＜実施の形態１＞
次に、本発明の実施の形態１について図面を参照して説明する。具体的には、（１）コンテンツ管理システムの概略構成、（２）管理ストレージの構成、（３）接続ストレージの構成、（４）ローカル再生装置の構成、（５）管理ストレージのローカルディレクトリ構成、（６）コンテンツ管理システムの動作、（７）作用・効果について説明する。          
【００３０】
（１）コンテンツ管理システムの概略構成
図１は、実施の形態に係るコンテンツ管理システム１の構成を示すブロック図である。コンテンツ管理システム１は、ローカルネットワーク１００と、パブリックネットワーク２００と、ローカル装置としてのローカル再生装置３００と、管理ストレージ４００と、接続ストレージ５００と、名前解決サーバ６００と、を備える。コンテンツ管理システム１は、管理ストレージ４００に格納されたコンテンツと、接続ストレージ５００に格納されたコンテンツである接続コンテンツと、をローカル再生装置３００に対して送信するシステムである。
【００３１】
ローカルネットワーク１００は、ＬＡＮあるいは無線ＬＡＮなどの局所的なネットワークである。ローカルネットワーク１００は、パブリックネットワーク２００とは独立して設けられる。パブリックネットワーク２００は、例えばインターネットなどのネットワークである。
【００３２】
ローカル再生装置３００は、ローカルネットワーク１００に接続され、映像や音声などのコンテンツを再生する装置である。具体的には、ローカル再生装置３００は、リスト要求を行うことで、コンテンツのリストである管理コンテンツリストを、ローカルネットワーク１００を介して管理ストレージ４００から受信する。ローカル再生装置３００は、受信したコ管理コンテンツリストの中から選択されたコンテンツを要求するコンテンツ要求を、ローカルネットワーク１００を介して管理ストレージ４００に送信する。ローカル再生装置３００は、コンテンツ要求に応じて送信されるコンテンツを、ローカルネットワーク１００を介して受信する。ローカル再生装置３００は、受信されたコンテンツを再生する。なお、リスト要求とは、所定のストレージに格納されたコンテンツに設定された名称であるコンテンツ名の一覧を取得するための要求である。
【００３３】
管理ストレージ４００は、ローカル再生装置３００とローカルネットワーク１００を介して接続されるとともに、接続ストレージ５００及び名前解決サーバ６００とパブリックネットワーク２００を介して接続される。管理ストレージ４００は、自機に格納されたコンテンツをローカル再生装置３００に提供するコンテンツサーバとして機能するとともに、ローカルネットワーク１００とパブリックネットワーク２００との間のゲートウェイとして機能する。
【００３４】
管理ストレージ４００は、接続ストレージ５００からの接続コンテンツリストの取得に応じて、管理ストレージの所定の記憶領域のディレクトリに、接続ストレージ５００を示すサブディレクトリを作成し、その下位層に接続ストレージ５００のコンテンツリストを配置する。管理ストレージ４００は、ローカル再生装置３００に対応するプロトコルに従って、ローカル再生装置３００に送信する管理コンテンツリストを作成する。
【００３５】
管理ストレージ４００は、作成した管理コンテンツリストをローカル再生装置３００に送信する。管理ストレージ４００は、管理コンテンツリストの中から選択されたコンテンツの要求であるコンテンツ要求を、ローカルネットワーク１００を介してローカル再生装置３００から受信する。管理ストレージ４００は、ローカル再生装置３００から受信されたコンテンツ要求が、接続ストレージのコンテンツの要求を示す場合、パブリックネットワーク２００を介して接続ストレージのコンテンツを受信し、この受信したコンテンツを、ローカルネットワーク１００を介してローカル再生装置３００に送信する。
【００３６】
接続ストレージ５００は、パブリックネットワーク２００に接続され、自機に格納されたコンテンツを提供するコンテンツサーバである。接続ストレージ５００は、コンテンツ要求を、ローカルネットワーク１００およびパブリックネットワーク２００を介してローカル再生装置３００から受信する。接続ストレージ５００は、コンテンツ要求の受信に応じて、コンテンツを、パブリックネットワーク２００およびローカルネットワーク１００を介してローカル再生装置３００に送信する。
【００３７】
名前解決サーバ６００は、接続ストレージ５００及び管理ストレージ４００とパブリックネットワーク２００を介して接続されるサーバである。名前解決サーバ６００は、接続ストレージ５００と管理ストレージ４００との名前解決を実行する。
【００３８】
名前解決サーバ６００は、パブリックネットワーク２００に接続され、名前解決要求を、管理ストレージ４００から受信する。名前解決サーバ６００は、名前解決要求の受信に応じて、名前解決結果としてのＩＰアドレスを、パブリックネットワーク２００を介して管理ストレージ４００に送信する。
【００３９】
（２）管理ストレージの構成
次に、本発明の第１実施形態に係る管理ストレージ４００の構成について、図２を参照して説明する。図２は、第１実施形態に係る管理ストレージ４００を示す図である。管理ストレージ４００は、ローカル通信部４１０と、パブリック通信部４２０と、処理部４３０と、リスト作成部４４０と、格納部４５０とを備える。
【００４０】
ローカル通信部４１０は、管理ストレージ４００をローカルネットワーク１００に接続するためのインターフェイスである。ローカル通信部４１０としては、ＬＡＮポートあるいは無線ＬＡＮポートなどが用いられる。パブリック通信部４２０は、管理ストレージ４００をパブリックネットワーク２００に接続するためのインターフェイスである。
【００４１】
処理部４３０は、ローカル通信部４１０を介してローカル再生装置３００から受信される要求および選択項目情報に応じた処理を実行する。処理部４３０は、リスト要求などを、ローカル通信部４１０から取得する。処理部４３０は、取得した要求に応じて、ローカル再生装置３００への管理コンテンツリストの送信などを実行する。また、処理部４３０は、管理コンテンツリストの項目のうち選択された項目を示す選択項目情報を、ローカル通信部４１０から取得する。処理部４３０は、取得された選択項目情報に応じて、他の項目またはコンテンツの送信を実行する。また、処理部４３０は、接続ストレージからのコンテンツのリストである接続コンテンツリストの取得に応じて、管理ストレージの所定の記憶領域のディレクトリ（以下、ローカルディレクトリとする）に、接続ストレージを示すサブディレクトリを作成し、その下位層に接続コンテンツリストを配置する。
【００４２】
なお、管理ストレージ４００は、ネットワークを介して接続されたストレージのコンテンツを、管理ストレージの所定の記憶領域に格納されたコンテンツと同様に扱うことが可能に構成されている。この機能を実現するソフトウェアとしては、ユーザ空間においてファイルシステムを実装するＦＵＳＥ（Ｆｉｌｅｓｙｓｔｅｍ  Ｉｎ  Ｕｓｅｒｓｐａｃｅ）やＤｏｋａｎを例示することができる。
【００４３】
リスト作成部４４０は、処理部４３０から取得されるコンテンツリスト作成指示に応じて管理コンテンツリストを作成する。リスト作成部４４０は、作成した管理コンテンツリストを格納部４５０に入力する。
【００４４】
格納部４５０は、所定の情報を格納するＨＤＤなどのストレージである。格納部４５０は、コンテンツ格納部４５１と、リスト格納部４５２と、接続リスト格納部４５４と、管理リスト格納部４５５と、アドレステーブル格納部４５３と、を有する。
【００４５】
コンテンツ格納部４５１は、複数のコンテンツを格納する。リスト格納部４５２は、管理ストレージ４００が保持するコンテンツのリストを格納する。接続リスト格納部４５４は、接続ストレージ５００に格納されたコンテンツのリストである接続コンテンツリストを格納する。管理リスト格納部４５５は、接続コンテンツリストと管理ストレージ４００が保持するコンテンツのリストとを集約した管理コンテンツリストを格納する。アドレステーブル格納部４５３は、名前解決サーバ６００から取得した名前解決結果としてのＩＰアドレスと、装置名と、を対応付けるアドレステーブルを格納する。
【００４６】
（３）接続ストレージの構成
本発明の第１実施形態に係る接続ストレージ５００の構成について、図３を参照して説明する。図３は、接続ストレージ５００を示す図である。接続ストレージ５００は、パブリック通信部５２０と、処理部５３０と、リスト作成部５４０と、格納部５５０とを備える。
【００４７】
パブリック通信部５２０は、接続ストレージ５００をパブリックネットワーク２００に接続するためのインターフェイスである。処理部５３０は、パブリック通信部５２０を介して管理ストレージ４００から受信される要求に応じた処理を実行する。処理部５３０は、リスト要求などを、パブリック通信部５２０から取得する。処理部５３０は、取得された要求に応じて、管理ストレージ４００への接続コンテンツリストの送信やコンテンツの送信などを実行する。
【００４８】
リスト作成部５４０は、処理部５３０から取得されるコンテンツリスト作成指示に応じて接続コンテンツリストを作成する。リスト作成部５４０は、作成された接続コンテンツリストを格納部５５０に入力する。
【００４９】
格納部５５０は、所定の情報を格納するＨＤＤなどのストレージである。格納部５５０は、コンテンツ格納部５５１と、リスト格納部５５２とを有する。
【００５０】
（４）ローカル再生装置の構成
次に、実施の形態１に係るローカル再生装置の構成について、図４を参照しながら説明する。図４は、ローカル再生装置３００を示す図である。ローカル再生装置３００は、ローカル通信部３１０と、受付部３２０と、処理部３３０と、再生部３４０と、表示部３５０とを備える。
【００５１】
ローカル通信部３１０は、ローカル再生装置３００をローカルネットワーク１００に接続するためのインターフェイスである。
【００５２】
受付部３２０は、ローカル再生装置３００を操作するための要求を、ローカル再生装置３００の外部から受け付ける。受付部３２０は、例えば、リスト要求などを受け付ける。受付部３２０は、受け付けた要求を処理部３３０に入力する。
【００５３】
また、受付部３２０は、表示部３５０に表示されるコンテンツのリストの項目を選択する情報を受け付ける。具体的には、コンテンツのリストは、一ないし複数の項目によって構成されており、受付部３２０は、少なくとも１つの項目を選択する情報を受け付ける。受付部３２０は、項目を選択する情報を受け付けると、選択された項目を示す選択項目情報を処理部３３０に入力する。
【００５４】
受付部３２０としては、ローカル再生装置３００のユーザが操作可能な操作機器であるタッチパネルやキーボード、あるいはリモコンからの無線信号受信部、あるいは、ローカル再生装置３００の外側面に設けられ、ローカル再生装置３００のユーザが押下できるように構成されたボタンなどが用いられる。
【００５５】
処理部３３０は、受付部３２０またはローカル通信部３１０から取得される要求および情報を処理する。処理部３３０は、リスト要求を、受付部３２０から取得する。処理部３３０は、取得されたリスト要求を、ローカル通信部３１０を介して管理ストレージ４００に送信する。処理部３３０は、リスト要求に応じて、コンテンツのリストを、ローカル通信部３１０を介して管理ストレージ４００から受信する。処理部３３０は、受信された管理コンテンツリストを表示部３５０に入力する。
【００５６】
処理部３３０は、表示部３５０に表示される管理コンテンツリストの項目のうち選択された項目を示す選択項目情報を、受付部３２０から取得する。処理部３３０は、取得された選択項目を、ローカル通信部３１０を介して管理ストレージ４００に送信する。処理部３３０は、選択項目に応じて、管理コンテンツリストに含まれる他の項目、またはコンテンツを、ローカル通信部３１０を介して管理ストレージ４００から受信する。処理部３３０は、他の項目を受信した場合、受信された他の項目を表示部３５０に入力する。処理部３３０は、コンテンツを受信した場合、受信されたコンテンツを再生部３４０に入力する。
【００５７】
再生部３４０は、処理部３３０から取得されるコンテンツの再生処理を行う。再生部３４０は、例えば、映像やデータを表示する表示部、音声を出力するスピーカなどによって構成される。
【００５８】
表示部３５０は、処理部３３０から取得される管理コンテンツリストを表示する。具体的には、表示部３５０は、処理部３３０から取得される管理コンテンツリストの項目を表示する。
【００５９】
なお、図示していないが、ローカル再生装置３００、管理ストレージ４００、及び接続ストレージ５００は、パブリック通信部、ローカル通信部、処理部等による処理をＣＰＵに実行させるためのプログラムを保持するプログラム保持部を備えていてもよい。プログラム保持部としては、例えば、ＲＡＭ、ＲＯＭ、ハードディスク、フレキシブルディスク、コンパクトディスク、ＩＣチップ、カセットテープなどの記録媒体が用いられる。
【００６０】
（５）管理ストレージのローカルディレクトリ構成
次いで、管理ストレージのローカルディレクトリ構成について説明する。管理ストレージ４００は、接続コンテンツリストの取得に応じて、接続コンテンツリストを、ルートディレクトリの下位層に配置するが、図５は、接続コンテンツリストを受信する前の構成である。なお、図５においては、説明の便宜上、ルートディレクトリ、サブディレクトリ及びコンテンツの一部を省略している。
【００６１】
ローカルディレクトリは、複数の項目が階層化されたツリー構造であって、複数のルートディレクトリ（ルートディレクトリＡ，Ｂ，Ｃ）を有している。各ルートディレクトリの下位層には、サブディレクトリが配置されている。例えば、ルートディレクトリＣの下位層には、サブディレクトリＣ１とサブディレクトリＣ２が配置されている。サブディレクトリＣ１は、ネットワーク上の他のユーザからのアクセスを制限するコンテンツを格納している。一方、サブディレクトリＣ２は、ネットワーク上の他のユーザからのアクセスを制限しないコンテンツ（以下、共有コンテンツとする）を格納している。
【００６２】
サブディレクトリの下位層には、サブディレクトリＣ２１と、サブディレクトリＣ２２が配置されている。サブディレクトリＣ２１には、自機に格納した共有コンテンツのリスト（コンテンツ名Ｃ２１−１〜Ｃ２１−３）が配置されており、サブディレクトリ２２には、ネットワークを介して接続された他のストレージ（例えば、接続ストレージ５００）の共有コンテンツのリストが配置される。
【００６３】
そして、管理ストレージ４００が、接続ストレージ５００から接続コンテンツリストを取得すると、図６に示すように、コンテンツのリストの送信元である接続ストレージを示すサブディレクトリＣ２２１を作成する。そして、図７に示すように、サブディレクトリＣ２２１の下位層に、接続ストレージから取得したコンテンツのリストを配置する。具体的には、サブディレクトリＣ２２１の下位層に接続コンテンツリストＣ２２１−１〜Ｃ２２１−３を配置する。
【００６４】
（６）コンテンツ管理システムの動作
以下において、本発明の第１実施形態に係るコンテンツ管理システムの動作について、図８を参照しながら説明する。図８は、ローカル再生装置３００からのリスト要求に応じて、コンテンツのリストをローカル再生装置３００に送信するとともに、コンテンツの送信に至るまでのコンテンツ管理システム１の動作を示すシーケンス図である。
【００６５】
Ｓ１０１において、ローカル再生装置３００は、リスト要求を管理ストレージ４００に送信する。Ｓ１０２において、管理ストレージ４００は、接続ストレージ５００に格納されたコンテンツのリストである接続コンテンツリストを取得するためのリスト要求を、接続ストレージ５００に対して送信する。
【００６６】
Ｓ１０３において、接続ストレージ５００は、自機に格納されたコンテンツ名を含む接続コンテンツリストを作成する。Ｓ１０４において、接続ストレージ５００は、Ｓ１０４において作成された接続コンテンツリストを管理ストレージ４００に対して送信する。管理ストレージ４００は、接続ストレージ５００から、接続コンテンツリストを受信する。ここで、受信された接続コンテンツリストは、例えばＨＴＭＬ、ＸＭＬ、ＪＳＯＮなどの、接続ストレージ５００に対応する言語フォーマットにより記述され、接続ストレージに対応するＨＴＴＰ通信による。
【００６７】
Ｓ１０５において、管理ストレージ４００は、接続コンテンツリストの受信に応じて、管理ストレージ４００の所定の記憶領域のディレクトリに接続ストレージ５００を示すサブディレクトリＣ２２１を作成し、その下位層に接続コンテンツリストを配置する。自機に格納しているコンテンツのリストと、接続コンテンツリストと、を集約した管理コンテンツリストを、ローカル再生装置３００に対応するプロトコルで作成する。
【００６８】
次いで、Ｓ１０６において、管理ストレージ４００は、管理コンテンツリストをローカル再生装置３００に送信する。このとき、管理ストレージ４００は、ローカル再生装置３００に対応するプロトコルによって送信する。Ｓ１０７において、ローカル再生装置３００は、管理ストレージ４００から受信した接続コンテンツリストを表示し、コンテンツの選択を受け付ける。Ｓ１０８において、ローカル再生装置３００は、選択されたコンテンツ情報を含むコンテンツ要求を管理ストレージ４００に対して送信する。
【００６９】
Ｓ１０９において、管理ストレージ４００は、コンテンツ要求における選択コンテンツ名を抽出する。そして、選択されたコンテンツ名が接続コンテンツリストに含まれる場合には、該当するコンテンツを要求するコンテンツ要求を、接続ストレージ５００に対して送信する（Ｓ１１０）。なお、このとき、自機に格納されているコンテンツの取得要求である場合には、該当するコンテンツをローカル再生装置３００に対して送信する。
【００７０】
Ｓ１１１において、接続ストレージ５００は、コンテンツ要求に対応するコンテンツを読み出す。Ｓ１１２において、接続ストレージ５００は、読み出したコンテンツを管理ストレージ４００に対して送信する。Ｓ１１３において、管理ストレージ４００は、受信したコンテンツをコンテンツ格納部５５１に格納する。Ｓ１１４において、管理ストレージ４００は、ローカル再生装置３００に対して送信する。Ｓ１１５において、ローカル再生装置３００は、受信されたコンテンツを再生する。
【００７１】
（７）作用・効果  本発明の第１実施形態に係るコンテンツ管理システム１によれば、管理ストレージ４００は、接続ストレージ５００から、接続ストレージ５００に格納されているコンテンツのリストである接続コンテンツリストを受信した場合、ローカル再生装置３００に対応するプロトコルに変換して、接続コンテンツリストを含む管理コンテンツリストを送信する。したがって、管理ストレージ４００とローカルネットワークを介して接続されたローカル再生装置３００において、接続コンテンツリストを取得し、接続ストレージのコンテンツを利用することができる。
【００７２】
また、管理ストレージ４００は、接続ストレージ５００から取得した接続コンテンツリストを、接続ストレージ５００を示すサブディレクトリの下位層に配置する。ローカル再生装置３００は、接続ストレージ５００に格納されたコンテンツと、管理ストレージ４００に格納されたコンテンツと、を区別することなく取得して利用することができる。
【００７３】
また、本実施の形態１では、ローカル再生装置３００からの要求に応じて、接続ストレージ５００のコンテンツをローカル再生装置３００に対して送信するように構成しているが、ローカル再生装置３００からの要求に応じて、接続ストレージ５００のコンテンツを消去するように構成してもよいし、接続ストレージ５００のコンテンツ名を変更するように構成してもよい。
【００７４】
具体的には、管理ストレージ４００が、ローカル再生装置３００からコンテンツの消去要求を取得することにより、管理ストレージ４００から接続ストレージ５００に該当するコンテンツの消去要求を送信する。そして、管理ストレージ４００は、接続ストレージ５００から消去完了通知を受信することにより、管理ストレージ４００の所定の記憶領域の接続コンテンツリストから該当するコンテンツを消去すると共に、ローカル再生装置３００に対して該当するコンテンツを消去する接続コンテンツリストの変更要求を送信する。このようにして、接続ストレージ５００に格納されたコンテンツの消去を実行し、更に、管理ストレージ４００とローカル再生装置３００における管理コンテンツリストを接続ストレージに格納された接続コンテンツリストと同期させることができる。
【００７５】
なお、本実施の形態１では、管理ストレージが、接続ストレージの接続先を示すＩＰアドレスを予め取得している場合について説明したが、管理ストレージが、接続ストレージのＩＰアドレスを取得していない場合、名前解決サーバ６００を介して名前解決を実行するように構成してもよい。図９は、名前解決サーバを示す図である。名前解決サーバ６００は、パブリック通信部６１０と、処理部６２０と、格納部６３０と、を備える。
【００７６】
パブリック通信部６１０は、名前解決サーバ６００をパブリックネットワーク２００に接続するためのインターフェイスである。処理部６２０は、パブリックネットワークを介して管理ストレージ等から受信される要求に応じた処理を実行する。例えば、処理部６２０は、名前解決要求をパブリック通信部６１０から取得する。処理部６２０は、名前解決要求に応じて、該当するストレージの名前解決結果としてのＩＰアドレスを抽出して、名前解決処理等を実行する。
【００７７】
格納部６３０は、所定の情報を格納するＨＤＤなどのストレージである。格納部６３０は、名前解決データベース６３１を備えている。名前解決データベース６３１には、各ストレージの装置名と、送信先を示すアドレスであるＩＰアドレスと、が関連付けて記憶されている。
【００７８】
次いで、名前解決処理について詳細に説明する。管理ストレージ４００は、接続ストレージ５００に対してリスト要求を送信すべく、接続ストレージ５００の名前解決要求を名前解決サーバ６００に対して送信する。具体的には、接続ストレージ５００の装置名と、ＩＰアドレスの取得要求と、を含んだメッセージを送信する。名前解決サーバ６００は、名前解決要求に応じて、名前解決結果としてのＩＰアドレスを管理ストレージ４００に対して送信する。管理ストレージ４００は、ＩＰアドレスを受信すると、接続ストレージ５００のＩＰアドレスをアドレステーブル格納部４５３に格納する。これにより、管理ストレージ４００と接続ストレージ５００とが接続可能となる。
【００７９】
＜実施の形態２＞
次いで、実施の形態２に係るコンテンツ管理システムについて、図１０を参照して詳細に説明する。図１０は、実施の形態２に係るコンテンツ管理システム１Ａを示す図である。実施の形態２に係るコンテンツ管理システム１Ａは、接続ストレージとしてのＮＡＳ７００と、管理ストレージとしてのＰＣ８００と、中継サーバ９００と、を備えている。なお、実施の形態２において、実施の形態１と同様の構成については説明を省略する。
【００８０】
ＰＣ８００は、移動可能に構成されており、ＮＡＳと同一のＬＡＮ（ローカルエリアネットワーク）内にある状態と、ＮＡＳと同一のＬＡＮ外にある状態と、を実現する。ＮＡＳ７００とＰＣ８００とは、ＰＣ８００とＮＡＳ７００とが同一のＬＡＮ内にある場合においては、ローカルネットワークを介して通信可能であり、ＮＡＳ７００とＰＣ８００とが同一のＬＡＮ外にある場合においては、グローバルＩＰアドレスを指定することで、パブリックネットワークを介して通信可能である。
【００８１】
ＮＡＳ７００は、複数のコンテンツを格納した格納部を備えている。ＰＣ８００は、パブリックネットワークを介して中継サーバ９００にアクセスすることにより、ＮＡＳ７００に格納されたコンテンツを利用することができるように構成されている。
【００８２】
中継サーバ９００は、携帯電話やＰＣ等の装置からパブリックネットワークを介して各ＮＡＳ７００に外部からアクセスして、ＮＡＳ７００内の
コンテンツのダウンロード及びアップロード等ができるように、ＮＡＳと他の装置とを中継する機能（以下、Ｗｅｂアクセス機能とする）を実現する。ＮＡＳ７００には、Ｗｅｂアクセスを許可するか否か、及び許可する場合にアクセス可能なコンテンツの設定が予めなされている。ＰＣ８００等から中継サーバ９００にアクセスすることにより、Ｗｅｂアクセス機能によってＮＡＳに格納されたコンテンツのリストを取得することが可能である。
【００８３】
また、ＰＣ８００は、ＮＡＳ７００に格納されたコンテンツである接続コンテンツリストを、ローカルディレクトリのルートディレクトリＤの下位層に配置するように構成されている。すなわち、実施の形態２においてルートディレクトリＤは、ＮＡＳ７００を示すサブディレクトリとして機能している。
【００８４】
図１１は、ＰＣ８００のローカルディレクトリを示す図である。ローカルディレクトリは、複数の項目が階層化されたツリー構造を有する。ＰＣ８００のローカルディレクトリは、複数のルートディレクトリＤ，Ｅ，Ｆを有している。各ルートディレクトリの下位層には、サブディレクトリが配置されている。ルートディレクトリＦは、パブリックネットワークを介して接続されるＮＡＳ７００を示すサブディレクトリとして機能しており、ＮＡＳ７００の共有コンテンツのリスト（コンテンツ名Ｆ−１〜Ｆ−３）が配置される。        
【００８５】
次いで、実施の形態２に係るコンテンツ管理システム１Ａの動作について図１２に基づいて詳細に説明する。図１２は、ＰＣ８００がＮＡＳ７００とパブリックネットワークを介して接続された場合における動作を示すシーケンス図であり、中継サーバ９００を介して、ＰＣ８００とＮＡＳ７００とが接続されている。
【００８６】
まず、Ｓ２０１において、ＰＣ８００は、中継サーバ９００に対してＷｅｂアクセス要求を送信する。具体的には、中継サーバ９００に対して、ＩＤとパスワードを送信する。次いで、中継サーバ９００は、認証処理を実行する（Ｓ２０２）。
【００８７】
中継サーバ９００は、ＩＤとパスワードの受信に応じて、ＩＤとパスワードの認証処理を行う。ＩＤとパスワードの認証が可能な場合には、セキュリティー識別子（ＳＩＤ）を発行し、ＳＩＤをＰＣ８００に対して送信する。一方、ＩＤとパスワードの認証が不可である場合には、例えば、エラー処理を実行する。エラー処理としては、例えば、ＰＣ８００に対して、再度のＩＤ等の送信を促すメッセージを送信する（Ｓ２０３）。次いで、ＰＣ８００は、中継サーバ９００からのＳＩＤの受信に応じて、受信したＳＩＤを格納部に保存する（Ｓ２０４）。以上が認証処理である。
【００８８】
次いで、ＰＣ８００は、ルートディレクトリＤ，Ｅ，Ｆの選択を受け付ける。ルートディレクトリＦが選択された場合は、ＮＡＳ７００の接続コンテンツリストを取得するためのリスト要求とＳＩＤとを中継サーバ９００に対して送信する（Ｓ２０５）。中継サーバ９００は、各ＮＡＳの装置名とＩＰアドレスとを関連付けて格納しており、接続対象となる装置名に該当するＮＡＳ７００のＩＰアドレスを抽出する（Ｓ２０６）。そして、中継サーバ９００は、リスト要求をＮＡＳ７００に対して送信すべく、Ｗｅｂアクセス要求をＮＡＳ７００に対して送信する（Ｓ２０７）。次いで、認証処理が実行される。なお、認証処理（Ｓ２０８からＳ２１０）は、上述の認証処理と同様であるため、説明を省略する。次いで、中継サーバ９００は、リスト要求をＮＡＳ７００に対して送信する（Ｓ２１１）。このリスト要求には、認証処理において中継サーバ９００が取得したＳＩＤが含まれている。
【００８９】
Ｓ２１２において、ＮＡＳ７００は、リスト要求の受信に応じて、ＳＩＤに基づいて中継サーバ９００がコンテンツを保存するフォルダへのアクセスが許可されているか否かを判定する。Ｓ２１２においてＮＯの場合、すなわち第１ＮＡＳ１０が該当するフォルダへのアクセスが許可されていない場合には、エラー処理を実行する。一方、Ｓ２１２においてＹＥＳの場合には、共有コンテンツのリストを作成し、リストを中継サーバ９００に対して送信する（Ｓ２１３）。
【００９０】
なお、ＳＩＤの認証は、他の装置から要求（コンテンツ要求やリスト要求）を受信した際に、常に実行するように構成してもよいし、例えばコンテンツを受信する場合等、要求を受信した装置に変更が加えられる場合にのみ、当該権限を有している装置からの要求であることを確認するために実行するように構成してもよい。
【００９１】
Ｓ２１４において、中継サーバ９００は、ＮＡＳ７００の接続コンテンツリストをＰＣ８００に対して送信する。Ｓ２１５において、ＰＣ８００は、ＮＡＳ７００の接続コンテンツリストをルートディレクトリＦの下位層に配置する。また、ＰＣ８００は、ＮＡＳ７００の接続コンテンツリスト（コンテンツ名Ｆ−１〜Ｆ−３）を表示して、コンテンツの項目の選択を受け付ける。
【００９２】
Ｓ２１６において、ＰＣ８００は、選択された項目（例えば、コンテンツ名Ｆ−１）のデータを要求するコンテンツ要求を中継サーバ９００に対して送信する。Ｓ２１７において、中継サーバ９００は、コンテンツ取得を要求するコンテンツ要求をＮＡＳ７００に対して送信する。Ｓ２１８において、ＮＡＳ７００は、コンテンツ要求に応じて、該当するコンテンツを読み出す。Ｓ２１９において、ＮＡＳ７００は、読み出したコンテンツを中継サーバ９００に対して送信する。Ｓ２２０において、中継サーバ９００は、コンテンツをＰＣ８００に対して送信する。Ｓ２２１において、中継サーバ９００は、ＮＡＳ７００のコンテンツを格納する。
【００９３】
以上のように、本実施の形態２によれば、ＮＡＳ７００に格納されたコンテンツをＰＣ８００の所定の記憶領域内に格納されたコンテンツとして利用することができる。したがって、ＰＣ８００に格納されたコンテンツであっても、ＮＡＳ７００に格納されたコンテンツであっても、ＰＣ８００において同じように取り扱うことができ、ＰＣ８００の操作性を向上させることができる。また、ＰＣ８００がＬＡＮ内にある場合であっても、ローカルネットワークを介してＮＡＳ７００の接続コンテンツリスト及びコンテンツを取得するように構成することで、同様の効果を得ることができる。
【００９４】
＜実施の形態３＞
次いで、実施の形態３に係るコンテンツ管理システムについて、図１３を参照して詳細に説明する。図１３は、実施の形態３に係るコンテンツ管理システム１Ｂを示す図である。実施の形態３に係るコンテンツ管理システム１Ｂは、実施の形態１と同様に、管理ストレージ４００と、ローカル再生装置３００と、接続ストレージ５００と、を備える。実施の形態３に係るコンテンツ管理システム１Ｂは、実施の形態１のコンテンツ管理システムと異なり、複数の接続ストレージ５００Ａ，５００Ｂ,５００Ｃを備えており、管理ストレージ４００は、コンテンツ等を自機に格納するための記憶領域を備えていない。
【００９５】
図１４は、管理ストレージ４００のディレクトリ構成を示した図である。管理ストレージ４００のディレクトリは、複数の接続ストレージを示すルートディレクトリＡ，Ｂ,Ｃを有する。各ルートディレクトリＡ，Ｂ,Ｃが、接続ストレージ５００Ａ、５００Ｂ、５００Ｃを示すディレクトリとして機能している。そして、各ルートディレクトリＡ，Ｂ,Ｃの下位層には、各接続ストレージから取得した接続コンテンツリストが配置されている。
【００９６】
管理ストレージ４００は、複数の接続ストレージから接続コンテンツリストを取得し、取得した接続コンテンツリストを、管理ストレージ４００の所定の記憶領域に配置する。管理ストレージ４００は、複数の接続コンテンツリストを集約した管理コンテンツリストをローカル再生装置３００に送信する。
【００９７】
このようなコンテンツ管理システムによれば、自機に格納するための記憶領域を有しない管理ストレージ４００において、パブリックネットワークを介して接続された接続ストレージのコンテンツを、この管理ストレージ４００とローカルネットワークを介して接続されたローカル再生装置３００において利用することができる。
【００９８】
以上、本発明の好ましい実施の形態を説明したが、本発明はこれらに限定されるものではなく、その要旨の範囲内で様々な変形や変更が可能である。例えば、実施の形態２においては、ＰＣ８００から中継サーバに対してＷｅｂアクセス要求を送信して認証処理を実行するように構成しているが、実施の形態１における管理ストレージと接続ストレージにおいても認証処理を実行するように構成してもよいし、名前解決サーバにおいても認証処理を実行するように構成してもよい。
【００９９】
また、セキュリティーの観点から一定時間の経過によってＳＩＤを無効にするように構成してもよい。このような構成においては、リスト要求に含まれるＳＩＤの有効期限が切れていた場合等、認証できない場合に認証処理を自動的に再度実行するように構成することができる。認証処理を自動的に再度実行することにより、ユーザによる操作を低減することができ、迅速な処理を実現することができる。
【符号の説明】
【０１００】
１…コンテンツ管理システム、  １００…ローカルネットワーク、  ２００…パブリックネットワーク、  ３００…ローカル再生装置（ローカル装置）、  ３１０…ローカル通信部、  ３２０…受付部、  ３３０…処理部、  ３４０…再生部、  ３５０…表示部、  ４００…管理ストレージ、  ４１０…ローカル通信部、  ４２０…パブリック通信部、  ４３０…処理部、  ４４０…リスト作成部、  ４５０…格納部、  ４５１…コンテンツ格納部、  ４５２…リスト格納部、  ４５３…アドレステーブル格納部、  ４５４…接続リスト格納部、  ４５５…管理リスト格納部、  ４５３…アドレステーブル格納部、  ５００…接続ストレージ、  ５１０…パブリック通信部、  ５２０…格納部、  ５２１…コンテンツ格納部、  ５２２…リスト格納部、  ５２３…設定情報格納部、  ５３０…管理部、  ５４０…リスト作成部、  ６００…名前解決サーバ、  ６１０…パブリック通信部、  ６２０…処理部、  ６３０…格納部、  ７００…ＮＡＳ（接続ストレージ）、  ８００…ＰＣ（管理ストレージ）
【図１】
2012160017.tif 000003
【図２】
2012160017.tif 000004
【図３】
2012160017.tif 000005
【図４】
2012160017.tif 000006
【図５】
2012160017.tif 000007
【図６】
2012160017.tif 000008
【図７】
2012160017.tif 000009
【図８】
2012160017.tif 000010
【図９】
2012160017.tif 000011
【図１０】
2012160017.tif 000012
【図１１】
2012160017.tif 000013
【図１２】
2012160017.tif 000014
【図１３】
2012160017.tif 000015
【図１４】
2012160017.tif 000016